(57)【要約】【課題】住宅等の建物において杭がどのように効くのかを一般の人に容易に理解してもらうことができる、杭の効きを表現する装置を提供する。【解決手段】内部透視可能な二つの容器部３，３を開閉可能な絞り部４を介して連通させた密閉容器２内に砂６が収容され、該密閉容器２の向きを、一方の容器部が上、もう一方の容器部が下となるように変化させ、絞り部４を開くことにより、上の容器部内の砂が絞り部を通じて自重により下の容器部内に移動し、密閉容器２内の砂６が容器部３，３間を行き来できるようになされ、各容器部３，３のそれぞれに、杭有りミニチュア建物９と杭無しミニチュア建物１０とが入れられている。【選択図】      図１
2006047434.tif 000002
【特許請求の範囲】
【請求項１】
内部透視可能な容器部内に砂が入れられ、容器部内の砂の上に杭有りミニチュア建物が杭を砂中に差し込んだ状態にして設置されると共に、容器部の底に開閉可能な砂排出口が設けられ、砂排出口を開くことにより、容器部内の砂が自重により砂排出口を通じて容器部の外に移動していくようになされていることを特徴とする、杭の効きを表現する装置。
【請求項２】
前記容器部内の砂の上に、比較用の杭無しミニチュア建物が設置されている請求項１に記載の、杭の効きを表現する装置。
【請求項３】
一方又は両方が内部透視可能な二つの容器部を開閉可能な絞り部を介して連通させた密閉容器内に砂が収容され、該密閉容器の向きを、一方の容器部が上、もう一方の容器部が下となるように変化させ、絞り部を開くことにより、上の容器部内の砂が絞り部を通じて自重により下の容器部内に移動して、密閉容器内の砂が容器部間を行き来できるようになされており、
内部透視可能な一方又は両方の容器部の内部に、杭有りミニチュア建物が、杭を支持杭とするように杭先端部を該容器部の内面に固着させて設置され、杭有りミニチュア建物を収容した容器部内に砂を移動させ絞りを閉じた状態で、該容器部を上にすることにより、杭有りミニチュア建物が該砂の上に設置された状態になるようにされていることを特徴とする杭の効きを表現する装置。
【請求項４】
内部透視可能な一方又は両方の容器部の内部に比較用の杭無しミニチュア建物が収容され、該杭無しミニチュア建物が収容された容器部には、絞り部とは反対側の壁面部に小孔が設けられ、該容器部内の杭無しミニチュア建物に連結された糸が前記小孔を通じて外に導出され、杭無しミニチュア建物を収容した容器部内に砂を移動させ絞りを閉じた状態で、該容器部を上にし、前記糸を引き上げ、杭無しミニチュア建物を該容器部内で宙吊り状態にして降ろすことにより、杭無しミニチュア建物が該容器部内の砂の上に設置されるようになされている請求項３に記載の杭の効きを表現する装置。
【請求項５】
前記密閉容器の両方の容器部がいずれも内部透視可能で、容器部のそれぞれに、杭有りミニチュア建物と杭無しミニチュア建物のいずれか少なくとも一方が備えられている請求項３又は４に記載の杭の効きを表現する装置。
【請求項６】
前記密閉容器が、二つの容器部の高さ位置を上下に変更させることができるように回転可能に支持されている請求項３乃至５のいずれか一に記載の杭の効きを表現する装置。
【発明の詳細な説明】
【技術分野】
【０００１】
本発明は、杭の効きを表現する装置に関する。
【背景技術】
【０００２】
住宅用等の建物に用いられる杭が、実際の建物においてどのように効くものであるのかを、書面や口頭で説明されても、一般の人にはそれを理解できない場合が多い。
【発明の開示】
【発明が解決しようとする課題】
【０００３】
本発明は、上記のような問題点に鑑み、住宅等の建物において杭がどのように効くのかを一般の人に容易に理解してもらうことができる、杭の効きを表現する装置を提供することを課題とする。
【課題を解決するための手段】
【０００４】
上記の課題は、内部透視可能な容器部内に砂が入れられ、容器部内の砂の上に杭有りミニチュア建物が杭を砂中に差し込んだ状態にして設置されると共に、容器部の底に開閉可能な砂排出口が設けられ、砂排出口を開くことにより、容器部内の砂が自重により砂排出口を通じて容器部の外に移動していくようになされていることを特徴とする、杭の効きを表現する装置によって解決される。
【０００５】
この装置では、容器部の底の砂排出口を開いて容器部内の砂を外に排出していくと、ミニチュア建物の設置されている砂の上面部に地滑りが発生し、砂中に差し込まれている杭が次第に露出していき、ミニチュア建物が杭に支えられて沈下を免れる一連の状況が動的に表現される。この一連の状況を見てもらうことにより、建物は杭を打っておけば地滑りが起きても沈下することなく安定した姿勢を維持することができることを、一般の人にでも容易に理解してもらうことができる。
【０００６】
しかも、この装置は、容器部に砂を入れ、容器部の底に備えさせた砂排出口を開いて砂を自重により排出していくことで地滑りを発生させるようにしたものであるから、地滑りの際の杭の効きを簡素な装置構成によってリアルに表現することができる。
【０００７】
上記の装置において、容器部内の砂の上に、比較用の杭無しミニチュア建物が設置されている場合は、地滑りの発生によって、杭有りミニチュア建物は杭に支えられて沈下を免れる一方で、杭無しミニチュア建物は沈下していく状況を同時に観察することができ、杭がいかに効くものであるのかを、明確に理解してもらうことができる。
【０００８】
また、上記の課題は、一方又は両方が内部透視可能な二つの容器部を開閉可能な絞り部を介して連通させた密閉容器内に砂が収容され、該密閉容器の向きを、一方の容器部が上、もう一方の容器部が下となるように変化させ、絞り部を開くことにより、上の容器部内の砂が絞り部を通じて自重により下の容器部内に移動して、密閉容器内の砂が容器部間を行き来できるようになされており、
内部透視可能な一方又は両方の容器部の内部に、杭有りミニチュア建物が、杭を支持杭とするように杭先端部を該容器部の内面に固着させて設置され、杭有りミニチュア建物を収容した容器部内に砂を移動させ絞りを閉じた状態で、該容器部を上にすることにより、杭有りミニチュア建物が該砂の上に設置された状態になるようにされていることを特徴とする杭の効きを表現する装置によっても、同様に解決される。
【０００９】
この装置では特に、砂を、二つの容器部を備えた密閉容器内に入れているので、ミニチュア建物の収容されている容器部に対する砂の出し入れを、密閉容器の向きを変えるだけで行うことができ、再開や続きの準備を容易にすることができる。
【００１０】
かかる装置において、内部透視可能な一方又は両方の容器部の内部に比較用の杭無しミニチュア建物が収容され、該杭無しミニチュア建物が収容された容器部には、絞り部とは反対側の壁面部に小孔が設けられ、該容器部内の杭無しミニチュア建物に連結された糸が前記小孔を通じて外に導出され、杭無しミニチュア建物を収容した容器部内に砂を移動させ絞りを閉じた状態で、該容器部を上にし、前記糸を引き上げ、杭無しミニチュア建物を該容器部内で宙吊り状態にして降ろすことにより、杭無しミニチュア建物が該容器部内の砂の上に設置されるようになされているのもよい。
【００１１】
この場合は、杭無しミニチュア建物との比較によって杭有り建物における杭のの効きをより一層明確に理解することができるのみならず、再度の表現を行うための準備作業において、容器部内の砂上への杭無しミニチュア建物の設置を、容器を開かずに、糸を操るだけで容易に行うことができ、再開や続きの準備を容易にすることができる。
【００１２】
また、上記の装置において、密閉容器の両方の容器部がいずれも内部透視可能で、容器部のそれぞれに、杭有りミニチュア建物と杭無しミニチュア建物のいずれか少なくとも一方が備えられているとよい。
【００１３】
この場合は、上に位置する一方の容器部で地滑りによるミニチュア建物の状況を表現した後、反転させて、上に位置させたもう一方の容器部で地滑りによるミニチュア建物の状況を表現することができ、再開や続きの準備を容易にすることができる。
【００１４】
また、前記密閉容器が、二つの容器部の高さ位置を上下に変更させることができるように回転可能に支持されている場合は、密閉容器を容易に反転させることができて、再開や続きの準備を容易にすることができる。
【発明の効果】
【００１５】
本発明は、以上のとおりのものであるから、住宅等の建物において杭がどのように効くものであるのかを一般の人に容易に理解してもらうことができる。
【発明を実施するための最良の形態】
【００１６】
次に、本発明の実施最良形態を図面に基づいて説明する。
【００１７】
図１に示す実施形態の装置１において、２は密閉容器であり、該密閉容器２は、内部透視可能な椀状の二つの容器部３，３の底部中心部分同士を絞り部４を介して連通させたもので、絞り部４には開閉用のコック５が備えられている。
【００１８】
この密閉容器２の内部に砂６が収容されており、該砂６は、コック５で絞り部４を開いた状態にして、密閉容器２の向きを、一方の容器部３が上、もう一方の容器部３が下となるように反転変化させることにより、上の容器部３内の砂６が絞り部４を通じて自重により下の容器部３内に移動し、容器部３，３間を行き来できるようになされている。
【００１９】
また、該密閉容器２は、その絞り部４が、装置の基部７に対してシャフト８で回転可能に支持されており、密閉容器２をシャフト８回りで回転することにより、容器部３，３を上下反転させることかできるようになされている。
【００２０】
上記の密閉容器２において、各容器部３，３はいずれも、内部透視可能なものからなっていて、各容器部３，３にはそれぞれ、杭有りミニチュア建物９と杭無しミニチュア建物１０の両方が入れられている。
【００２１】
そして、各容器部３において、杭有りミニチュア建物９は、杭９ａ…を支持杭とするように杭先端部を容器部３の内面に固着させ、絞り部４から側方に偏心するようにして設置されており、一方の容器部３内に砂６を移動させコック５を閉じた状態で、該容器部３を上に位置させることにより、図１に示すように、その容器部３内の杭有りミニチュア建物９が杭９ａ…を砂６中に差し込んで砂６の上に設置された状態になるようにされている。
【００２２】
また、各容器部３，３において、絞り部４とは反対側の壁面部には小孔１１，１１が設けられ、各容器部３内の杭無しミニチュア建物１０に連結された糸１２が小孔１１を通じて外に導出されており、一方の容器部３内に砂６を移動させコック５を閉じた状態で、該容器部３を上にし、糸１２を引き上げ、杭無しミニチュア建物１０を該容器部３内で宙吊り状態にして降ろすことにより、杭無しミニチュア建物１０は、該容器部３内の砂６の上に、絞り部４から側方に偏心して適正な姿勢状態で設置されるようになされている。
【００２３】
上記の装置１では、図１に示すように、コック５が閉じられ、上に位置する容器部３内の砂６の上に杭有りミニチュア建物９と杭無しミニチュア建物１０とが適正な姿勢状態に設置された状態から、コック５を開くと、図２（イ）に示すように、上の容器部３内の砂６が絞り部４を通じて下の容器部３内に移動していき、上の容器部３内では、地滑りが発生し、この地滑りによって、杭有りミニチュア建物９については、砂６中に差し込まれていた杭９ａ…が次第に露出していき、杭有りミニチュア建物９が杭９ａ…に支えられて沈下を免れる一連の状況が動的に表現されると共に、杭無しミニチュア建物１０については、上記の地滑りによって不同沈下をしていく一連状況が表現される。これら一連の状況を杭が有る場合と無い場合とを同時に比較して見てもらうことにより、建物は杭を打っておけば地滑りが起きても沈下することなく安定した姿勢を維持することができることを、一般の人にでも容易に理解してもらうことができる。
【００２４】
そして、図２（ロ）に示すように、すべての砂６が下の容器部３に移動した後、図３に示すように、コック５を閉じて密閉容器２を上下反転させ、図４（イ）に示すように、新たに上に位置することとなった容器部３から導出している糸１２を引き上げ、杭無しミニチュア建物１０を砂６の上方に宙吊り状態にしたのち降ろせば、杭無しミニチュア建物１０は、図４（ロ）に示すように適正姿勢状態となって砂６の上に設置され、また、杭有りミニチュア建物９については何もしなくとも砂６の上に設置された状態となり、再開の準備が完了し、コック５を開くことにより、上記と同様の表現を再開することができる。なお、密閉容器２の反転の繰り返しにおいて、下に位置する容器部３は、図示しないエプロンで隠すようにするのもよい。
【００２５】
以上に、本発明の実施形態を示したが、本発明はこれに限られるものではなく、発明思想を逸脱しない範囲で各種の変更が可能である。例えば、上記の実施形態では、両方の容器部３，３をいずれも透視可能なものにし、各容器部３，３にそれぞれ、杭有りミニチュア建物９と杭無しミニチュア建物１０とを入れた場合を示しているが、両方の容器部をいずれも透視可能なものにし、一方の容器部に杭有りミニチュア建物を入れ、もう一方の容器部に杭無しミニチュア建物を入れて杭有りの場合の地滑りの状況と杭無しの場合の地滑りの状況とを順次表現する構造にしてもよいし、また、一方の容器を透視可能なものにしてその容器部に杭有りミニチュア建物と杭無しミニチュア建物とを入れ、もう一方の容器は内部を透視できないものにするのもよい。また、上記の実施形態では、杭有りミニチュア建物と杭無しミニチュア建物の両方を用いた場合を示しているが、杭有りミニチュア建物だけを用いた装置として構成してもよい。さらに、本発明装置は、上記のような二つの容器部３，３を備えた密閉容器２を用いて反転させる形式以外に、一つの固定容器部に入れた砂を下から排出していって地滑りを発生させ、排出された砂は、容器下の受けに受けさせ、受けの砂を容器の上端開口を通じて返す形式のものなどからなっていてもよい。
【図面の簡単な説明】
【００２６】
【図１】実施形態の表現装置を示すもので、図（イ）は正面斜視図、図（ロ）は側面図である。
【図２】図（イ）は装置で地滑りを発生させた状態を示す正面斜視図、図（ロ）は砂移動後の正面斜視図である。
【図３】密閉容器の反転方法を示す斜視図である。
【図４】図（イ）及び図（ロ）は、密閉容器内における杭無し密閉容器の設置方法を順次に示す側面図である。
【符号の説明】
【００２７】
１…表現装置
２…密閉容器
３…容器部
４…絞り部（砂排出口）
５…コック（開閉手段）
６…砂
９…杭有りミニチュア建物
９ａ…杭
１０…杭無しミニチュア建物
１１…小孔
１２…糸
【図１】
2006047434.tif 000003
【図２】
2006047434.tif 000004
【図３】
2006047434.tif 000005
【図４】
2006047434.tif 000006